(57)【要約】  基板上に形成された金属酸化膜半導体（ＭＯＳ）デバイス、およびＭＯＳデバイスを形成する方法が提供される。ＭＯＳデバイスは、ドレイン領域と、ドレイン領域を取り囲むゲート領域と、ゲート領域の周りに、ドレイン領域と対向するよう配置された複数のソース領域と、ゲート領域の周りに、複数のソース領域を分離するよう配置された複数のバルク領域と、を備える。ゲート領域は、ドレイン領域の周りのループ状に形成される。このようにして、ＭＯＳデバイスのオン抵抗（Ｒｏｎ）は、ＭＯＳデバイスの面積をさらに増やすことなく低減される。【選択図】図４
2010515274.tif 000002
【特許請求の範囲】
【請求項１】
基板上に形成されたＭＯＳデバイスであって、
ドレイン領域と、
前記ドレイン領域を取り囲み、前記ドレイン領域の周りにループ状に形成されたゲート領域と、
前記ゲート領域の周りに、前記ドレイン領域と対向するよう配置された複数のソース領域と、
前記ゲート領域の周りに、前記複数のソース領域を分離するよう配置された複数のバルク領域と、を備える、ＭＯＳデバイス。
【請求項２】
前記ゲート領域は閉ループ状に形成される、請求項１に記載のＭＯＳデバイス。
【請求項３】
前記ゲート領域の形状は、前記ドレイン領域の形状に対応している、請求項２に記載のＭＯＳデバイス。
【請求項４】
前記ドレイン領域は、正方形、矩形、六角形、および八角形のうちいずれかを含む多面多角形状を有する、請求項３に記載のＭＯＳデバイス。
【請求項５】
前記基板の形状は、前記ドレイン領域の形状に対応しており、前記複数のバルク領域は前記基板の隅にそれぞれ配置されている、請求項４に記載のＭＯＳデバイス。
【請求項６】
前記ドレイン領域は円形状である、請求項３に記載のＭＯＳデバイス。
【請求項７】
前記ゲート領域の下にチャネル領域が形成される、請求項１に記載のＭＯＳデバイス。
【請求項８】
前記チャネル領域は、電流が各ソース領域から前記ドレイン領域へ流れるよう構成される、請求項７に記載のＭＯＳデバイス。
【請求項９】
前記ＭＯＳデバイスはトランジスタである、請求項１に記載のＭＯＳデバイス。
【請求項１０】
前記基板はシリコン基板であり、前記ゲート領域はポリシリコンを含む、請求項１に記載のＭＯＳデバイス。
【請求項１１】
前記ＭＯＳデバイスは方形型ＤＭＯＳ（ＳＱＤＭＯＳ）である、請求項１０に記載のＭＯＳデバイス。
【請求項１２】
前記ドレイン領域と、前記複数のソース領域の少なくとも１つは、それぞれ端子を有し、
前記ドレイン領域のそれぞれの端子と、前記ゲート領域との間の距離は、前記複数のソース領域のそれぞれの端子と、前記ゲート領域との間の距離より長い、請求項１に記載のＭＯＳデバイス。
【請求項１３】
基板上にアレイ状に形成された複数のＭＯＳトランジスタセルを備えるＭＯＳデバイスであって、
各ＭＯＳトランジスタセルは、
ドレイン領域と、
前記ドレイン領域を取り囲み、ループ状に形成されたゲート領域と、
前記ゲート領域の周りに、前記ドレイン領域と対向するよう配置された複数のソース領域と、
前記ゲート領域の周りに、前記複数のソース領域を分離するよう配置された複数のバルク領域と、を有し、
前記複数のソース領域は、隣接するＭＯＳトランジスタセルにおいて対応する複数のソース領域と重なる、ＭＯＳデバイス。
【請求項１４】
基板上にＭＯＳデバイスを形成する方法であって、
ドレイン領域を形成する工程と、
前記ドレイン領域をループ状に取り囲むゲート領域を形成する工程と、
前記ゲート領域の周りに、前記ドレイン領域と対向する複数のソース領域を形成する工程と、
前記ゲート領域の周りに、前記複数のソース領域を分離する複数のバルク領域を形成する工程と、を備える方法。
【請求項１５】
前記ゲート領域は閉ループ状に形成される、請求項１４に記載の方法。
【請求項１６】
前記ゲート領域の形状は、前記ドレイン領域の形状に対応している、請求項１５に記載の方法。
【請求項１７】
前記ドレイン領域は、正方形、矩形、六角形、および八角形のうちいずれかを含む多面多角形状を有する、請求項１６に記載の方法。
【請求項１８】
前記基板の形状は、前記ドレイン領域の形状に対応しており、前記複数のバルク領域は前記基板の隅にそれぞれ配置されている、請求項１７に記載の方法。
【請求項１９】
前記ドレイン領域は円形状である、請求項１６に記載の方法。
【請求項２０】
前記ゲート領域の下にチャネル領域を形成する工程をさらに備える、請求項１４に記載の方法。
【請求項２１】
前記チャネル領域は、電流が各ソース領域から前記ドレイン領域へ流れるよう構成される、請求項２０に記載の方法。
【請求項２２】
前記基板はシリコン基板であり、前記ゲート領域はポリシリコンを含む、請求項１４に記載の方法。
【請求項２３】
前記ＭＯＳデバイスは方形型ＤＭＯＳ（ＳＱＤＭＯＳ）である、請求項２２に記載の方法。
【請求項２４】
前記ドレイン領域と前記複数のソース領域とにそれぞれ端子を形成する段階をさらに備え、
前記ドレイン領域のそれぞれの端子と、前記ゲート領域との間の距離は、前記複数のソース領域のそれぞれの端子と、前記ゲート領域との間の距離より長い、請求項１４に記載の方法。
【請求項２５】
ＭＯＳトランジスタセルを基板上に形成する方法であって、
複数のＭＯＳトランジスタセルを前記基板上に形成する工程を備え、
各ＭＯＳトランジスタセルは、
ドレイン領域を形成する工程と、
前記ドレイン領域をループ状に取り囲むゲート領域を形成する工程と、
前記ゲート領域の周りに、前記ドレイン領域と対向する複数のソース領域を形成する工程と、
前記ゲート領域の周りに、前記複数のソース領域を分離する複数のバルク領域を形成する工程と、により形成され、
隣接するＭＯＳトランジスタセル間でソース領域それぞれが互いに重なる、方法。
【発明の詳細な説明】
【技術分野】
【０００１】
本願は、２００６年１２月２８日出願の米国仮特許出願番号第６０／８８２，２５０の恩恵を享受しており、この内容の全体をここに参照として組み込む。
本発明は、低オン抵抗のデバイスを製造する金属酸化膜半導体（ＭＯＳ）デバイスの配置に係り、特に、このような配置を有する方形型二重拡散金属酸化物半導体（ＳＱＤＭＯＳ）デバイスに係る。
【背景技術】
【０００２】
比較例として、図１は、ゲート、ソース、およびボディ（バルク）領域を有する従来の金属酸化膜半導体（ＭＯＳ）構造の配置の上面図である。ＭＯＳチャネル（ゲート領域）の幅がＢであり、ＭＯＳチャネルの長さがＧである。それぞれソースおよびドレイン領域の長さＳおよびＤは、一定の信頼性および電圧性能を達成する特定のプロセス技術の設計規則に基づいている。ＭＯＳの全面積はＡｘＢである。
【０００３】
ＭＯＳのオン抵抗（Ｒｏｎ）は、ＭＯＳチャネルの幅Ｂおよび長さＧに依る。幅Ｂが大きいと、Ｒｏｎが小さくなり、長さＧが小さいと、Ｒｏｎも小さくなる。Ｒｏｎを小さくすることでＭＯＳが一定期間内に切り替わる回数が増えるので、切り替えイベント毎の処理速度がより速くなり、利用されるエネルギーがより低くなりうる。
【０００４】
しかし、Ｒｏｎを小さくする際にもしもＭＯＳチャネルの幅Ｂが大きくなると、ＭＯＳの面積も大きくなることが考えられる。ＭＯＳの面積が大きくなると、同じ面積におけるチップの演算能力が低くなり、チップを大きくすることになるので製造コストが増加する。故に、ＭＯＳの面積を大きくせずにＲｏｎを小さくすると有益である。
【０００５】
Ｒｏｎを小さくする技術の１つには、図２の配置に示すように、２つの基本的なＭＯＳ構造をミラーリングして、各構造のドレイン領域同士が重なるようにする方法がある。この技術によれば、実効幅Ｂは二倍になり（つまり、各々が幅Ｂを有する２つのＭＯＳチャネルが存在する）、Ｒｏｎが低減され、一方で、構造の全面積は単一のＭＯＳ構造のものの二倍よりも小さい（つまり、ＡｘＢの二倍より小さい）。この構造を図３のように繰り返すと、さらに小さいＲｏｎを得ることができる。
【０００６】
本発明は、通常はデバイスの領域増加を伴わず、デバイスのＲｏｎをさらに低減させることのできるＭＯＳデバイスの配置を提供する。
【発明の開示】
【０００７】
本発明は、ゲート領域（チャネル領域の上に形成される）がドレイン領域を取り囲むループ状に形成された場合、任意のＭＯＳ面積に対してチャネル幅が増大する、という発明者達の認識を具現化（capitalize）するものである。このようにすると、チャネルの実効幅が広がるので、ＭＯＳのＲｏｎはＭＯＳの面積をさらに増やすことなく低減される。
【０００８】
故に、１側面においては、本発明は、基板上に形成された金属酸化膜半導体（ＭＯＳ）デバイス、およびＭＯＳデバイスを形成する方法を提供する。ＭＯＳは、ドレイン領域と、ドレイン領域をループ状に取り囲むゲート領域と、ゲート領域の周りに、ドレイン領域と対向するよう配置された複数のソース領域と、ゲート領域の周りに、複数のソース領域を分離するよう配置された複数のバルク領域と、を備える。
【０００９】
このようにすると、ＭＯＳのＲｏｎが低減される。ループ状のゲート領域は、ＭＯＳの面積をさらに増やすことなくゲート幅を広げることができる。Ｒｏｎを低減させることで、ＭＯＳ切り替え時間は増加しうるので、切り替えイベント毎の処理速度がより速くなり、利用されるエネルギーがより低くなりうる。
【００１０】
複数のバルク領域をゲート領域の周りに、複数のソース領域を分離するよう配置することで、ＭＯＳの面積は従来の構造と比してさらに小さくなりうる。バルク領域がゲート領域の周りに配置されるので、追加的なバルク領域を、ソース領域を取り囲むよう配置する必要はないと思われる。ＭＯＳの通常動作においては、バルク領域に含まれるバルク端子は、帯電しない。バルク端子は、ＭＯＳのバルク領域に電圧バイアスを供給する。故に、ＭＯＳの性能に影響を及ぼさずにバルク端子の数を低減することができる。バルク領域がソース領域から取り除かれてもよいことから、ソース領域のサイズを低減することができる。ＭＯＳの面積を低減させることで、同じ面積に提供されうる消費電力が増え、あるいは、製造するチップがより小さくなりうるので、製造コスト低減につながる。
【００１１】
ゲート領域は閉ループ状に形成されてもよく、ゲート領域の形状は、ドレイン領域の形状に対応していてよい。ドレイン領域は円形状であっても、または、正方形、矩形、六角形、および八角形のうちいずれかを含む多面多角形状を有していてもよい。
【００１２】
ゲート領域の下にチャネル領域が形成されてよく、チャネル領域において、電流は各ソース領域からドレイン領域へ流れてよい。基板の形状は、ドレイン領域の形状に対応していてよく、複数のバルク領域は基板の隅にそれぞれ配置されていてよい。複数のバルク領域を基板の隅にそれぞれ配置することで、実効チャネル幅が最大化されうる。
【００１３】
ＭＯＳデバイスはトランジスタであってよく、基板はシリコン基板であってよい。ゲート領域はポリシリコンを含んでよく、ＭＯＳデバイスは方形型ＤＭＯＳ（ＳＱＤＭＯＳ）であってよい。ドレイン領域と、複数のソース領域の少なくとも１つは、それぞれ端子を有し、ドレイン領域のそれぞれの端子と、ゲート領域との間の距離を、複数のソース領域のそれぞれの端子と、ゲート領域との間の距離より長くすることで、ドレイン領域からソース領域へのブレークダウン電圧を大きくしてよい。
【００１４】
別の側面においては、本発明は、基板上にアレイ状に形成された複数のＭＯＳトランジスタセルを備える金属酸化膜半導体（ＭＯＳ）デバイスと、対応するＭＯＳデバイス形成方法とを提供する。各ＭＯＳトランジスタセルは、ドレイン領域と、ドレイン領域を取り囲み、ループ状に形成されたゲート領域と、ゲート領域の周りに、ドレイン領域と対向するよう配置された複数のソース領域と、ゲート領域の周りに、複数のソース領域を分離するよう配置された複数のバルク領域と、を有し、複数のソース領域は、隣接するＭＯＳトランジスタセルにおいて対応する複数のソース領域と重なる。
【００１５】
本発明の概要は、本発明の性質の理解を促すことを目的としている。添付図面との関連で、以下に記すその好適な実施形態の詳細な説明を参照することで、本発明はより完全に理解されよう。
【図面の簡単な説明】
【００１６】
【図１】比較例である金属酸化膜半導体（ＭＯＳ）構造または１アレイのＭＯＳセルの上面図である。
【図２】比較例である金属酸化膜半導体（ＭＯＳ）構造または１アレイのＭＯＳセルの上面図である。
【図３】比較例である金属酸化膜半導体（ＭＯＳ）構造または１アレイのＭＯＳセルの上面図である。
【００１７】
【図４】本発明の第１実施形態によるＭＯＳ構造の上面図である。
【００１８】
【図５Ａ】本発明の第２実施形態による１アレイのＭＯＳセルの上面図である。
【図５Ｂ】本発明の第２実施形態による１アレイのＭＯＳセルの上面図である。
【００１９】
【図６Ａ】ハードディスクドライブ内の、本発明のブロック図である。
【００２０】
【図６Ｂ】ＤＶＤドライブ内の、本発明のブロック図である。
【００２１】
【図６Ｃ】高精細テレビ（ＨＤＴＶ）内の、本発明のブロック図である。
【００２２】
【図６Ｄ】車両制御システム内の、本発明のブロック図である。
【００２３】
【図６Ｅ】セルラー式または携帯電話機内の、本発明のブロック図である。
【００２４】
【図６Ｆ】セットトップボックス（ＳＴＢ）内の、本発明のブロック図である。
【００２５】
【図６Ｇ】メディアプレーヤ内の、本発明のブロック図である。
【００２６】
【図６Ｈ】ＶｏＩＰプレーヤ内の、本発明のブロック図である。
【発明を実施するための最良の形態】
【００２７】
図４は、本発明の１実施形態による単一のＭＯＳセル４００の金属酸化膜半導体（ＭＯＳ）構造の上面図である。図４に示すように、ＭＯＳセル４００は、正方形状に形成されるが、他の実施形態においては、ＭＯＳセル４００は円形状または任意の多面多角形状（例えば、矩形、六角形、または八角形）であってよい。ＭＯＳセル４００は、例えば、ＮＭＯＳおよびＰＭＯＳトランジスタを含むＭＯＳトランジスタであってよく、ＭＯＳセル４００は方形型ＤＭＯＳ（ＳＱＤＭＯＳ）であってよい。ＭＯＳセル４００においては、基板（例えば、シリコン基板または任意の他の適切な種類の基板）上に、少なくともドレイン領域４０１、ゲート領域４０２、ソース領域４０４および４０５、およびバルク領域４０６が形成されていてよい。
【００２８】
図４に示すように、ドレイン領域４０１は正方形状に形成されるが、他の実施形態においては、ドレイン領域４０１は円形状または任意の多面多角形状（例えば、矩形、六角形、または八角形）であってよい。ドレイン領域４０１はドレイン端子４０９を含む。図では２つのドレイン端子４０９が示されているが、他の実施形態においては、例えば電流要件等の動作要件に部分的に基づいて、他の数のドレイン端子が利用されてよい。ドレイン端子４０９は、任意の電流機能において領域を最適化するよう当接（butted）される。例示されている実施形態では、ドレイン端子４０９とゲート領域４０２との間の距離Ｄ１からＤ４は、実質的に類似しているが、他の実施形態においては、ドレイン領域４０１の形状に部分的に基づいて距離Ｄ１からＤ４が異なっていてもよい。
【００２９】
ゲート領域４０２はドレイン領域４０１を取り囲む。ゲート領域４０２は、ドレイン領域４０１の形状に対応する形状を有する閉ループとして、ドレイン領域４０１の周りに形成されてよい。図示されたゲート領域４０２は正方形状であるが、他の実施形態においては、ゲート領域４０２は、ドレイン領域４０１の形状に部分的に基づいて、円形状または任意の多面多角形状（例えば、矩形、六角形、または八角形）であってよい。ゲート領域４０２は、例えば、ポリシリコン、または任意の他の適切な種類の導電性または半導体性材料を含みうる。ゲート領域４０２の下にはチャネル領域４０８が形成されてよく、チャネル領域４０８は、電流が各ソース領域４０５および４０５からドレイン領域４０１へ流れるように構成されてよい。ゲート端子（不図示）は、ゲート領域４０２に電気的に結合された領域４０７に取り付けられてよい。領域４０７は、ゲート領域４０２と同じ材料を含みうる。
【００３０】
ゲート領域４０２の周りには、ソース領域４０４および４０５、バルク領域４０６、および領域４０７が設けられる。ソース領域４０４または４０５は、ゲート領域４０２の各辺に設けられ、ドレイン領域４０１の各辺がそれと同じかそれより大きい幅を有するソース領域と整列する。このようにして、チャネル領域４０８の電流の流れが最大化されうる。バルク領域４０６および領域４０７は、ゲート領域４０２の周りに、ドレイン領域４０１の一辺と整列しないように設けられる。特に、バルク領域４０６は、ＭＯＳセル４００の隅に配置されて、ゲート領域４０２（およびチャネル４０８）との接触が避けられてよく、領域４０７は、ゲート領域４０２の各部分と接触するように設けられてよい。
【００３１】
従来のＭＯＳセルのように（図１）バルク領域４０６はソース領域４０４および４０５内には設けられないので、ソース領域４０４および４０５のサイズは、従来のＭＯＳセルのソース領域のサイズより小さくてよい。
【００３２】
図示されているソース領域４０４および４０５は矩形形状に形成されており、バルク領域４０６および領域４０７は正方形状に形成されている。しかし他の実施形態においては、ソース領域４０４および４０５、バルク領域４０６、および領域４０７は、ＭＯＳセル４００の形状、および／または、ソース領域４０４および４０５、およびバルク領域４０６および領域４０７の配置および／または形状に部分的に基づいて、円形状または任意の多面多角形状（例えば、三角形、正方形、矩形、六角形、または八角形）であってよい。
【００３３】
上述のように、領域４０７は、ゲート領域４０２に電気的に連結された不図示のゲート端子を含みうる。バルク領域４０６は、バルク端子４１１を含み、ソース領域４０４および４０５は、ソース端子４１０を含む。他の実施形態においては、例えば電流要件等の動作要件に部分的に基づいて、例示した数とは異なる数のソース端子４１０およびバルク端子４１１が採用されてもよい。
【００３４】
図示されているソース端子４１０とゲート領域４０２との間の距離Ｓ１は、ドレイン端子４０９とゲート領域４０２との間の距離Ｄ１からＤ４よりも短いが、他の実施形態においては、ブレークダウン電圧に部分的に基づいて、距離Ｓ１と距離Ｄ１からＤ４との関係が異なってもよい。
【００３５】
図５Ａは、本発明の１例示的実施形態による、４つのＭＯＳセルのアレイ５００の上面図である。各セルは図４のＭＯＳセル４００の構造を有する。セル５０１から５０４は、それぞれのソース領域４０４および４０５が互いに重なるように配置される。このようにして、セルアレイ５００の全面積は、個々のＭＯＳセル４００の領域を４倍したものよりも小さくなりうる。
【００３６】
ゲート領域４０２を、ドレイン領域４０１の周りにループ形状に配置することで、チャネル幅が、ゲート領域部分５１０、５１１、５２０、５２１、５３０、５３１、５４０、および５４１だけ広くなりうる（図５Ｂ参照）。領域４０７下には有効なチャネルがない場合があるので幾らかのチャネル幅は失われるかもしれないが（つまり、領域４０７がソース領域およびドレイン領域を分離していない場合がある）、この損失よりもチャネル幅において得られる利得のほうが大きいであろう。
【００３７】
このようにして、ＭＯＳセル４００（およびＭＯＳセルアレイ５００）の構造は、従来のＭＯＳセル（またはセルアレイ）のＲｏｎより低いＲｏｎを有しうる。ゲート領域４０２がドレイン領域４０１の周りにループ形状に設けられることで、実効チャネル幅（net channel width）を、ＭＯＳ構造の面積を増加させずに増やすことができる。Ｒｏｎを低減させることで、ＭＯＳ切り替え時間は増加しうるので、切り替えイベント毎の処理速度がより速くなり、利用されるエネルギーがより低くなりうる。
【００３８】
バルク領域がゲート領域の周りに配置されるので、追加的なバルク領域を、ソース領域を取り囲むよう配置する必要はなくなると思われる。バルク領域はソース領域内に含まれない場合もあるので、ソース領域のサイズを低減させることができる。ＭＯＳの面積を低減させることで、同じ面積に提供されうる消費電力が増え、あるいは、製造するチップがより小さくなりうるので、製造コスト低減につながる。
【００３９】
図６Ａ−６Ｈには、本発明の様々な例示的実装例が示されている。図６Ａでは、本発明は、ハードディスクドライブ１５００のＭＯＳデバイスとして具現化されうる。本発明は、図６Ａで概して１５０２として特定される信号処理および／または制御回路のいずれかまたは両方を実装しうる。幾らの実装例においては、信号処理および／または制御回路１５０２および／またはＨＤＤ１５００の他の回路（不図示）は、磁気記憶媒体１５０６へ出力および／または磁気記憶媒体１５０６から受信するデータの、データ処理、符号化および／または暗号化、計算、および／またはフォーマッティングを行ってよい。
【００４０】
ＨＤＤ１５００は、コンピュータ、情報携帯端末、セルラー式電話機、媒体、またはＭＰ３プレーヤ等の携帯コンピュータデバイス、および／または他のデバイスなどのホストデバイス（不図示）と、１以上の有線または無線通信リンク１５０８を介して通信しうる。ＨＤＤ１５００は、ランダムアクセスメモリ（ＲＡＭ）、フラッシュメモリ等の低レイテンシー不揮発性メモリ、読み取り専用メモリ（ＲＯＭ）、および／または他の適切な電子データ記憶装置などのメモリ１５０９に接続されてよい。
【００４１】
図６Ｂを参照すると、本発明はデジタルバーサタイルディスク（ＤＶＤ）ドライブ１５１０のＭＯＳデバイスとして具現化されうる。本発明は、概して図６Ｂでは１５１２として示される信号処理および／または制御回路のいずれかまたは両方、および／またはＤＶＤドライブ１５１０の大容量データ記憶装置１５１８を実装してよい。信号処理および／または制御回路１５１２および／またはＤＶＤドライブ１５１０の他の回路（不図示）は、光学記憶媒体１５１６から読み出す、および／または光学記憶媒体１５１６へ書き込むデータの、データ処理、符号化、および／または暗号化、計算、および／またはフォーマッティングを行ってよい。幾らかの実装例においては、信号処理および／または制御回路１５１２および／またはＤＶＤドライブ１５１０の他の回路（不図示）は、さらに、エンコードおよび／またはデコード、および／またはＤＶＤドライブに関する任意の他の信号処理機能を行うこともできる。
【００４２】
ＤＶＤドライブ１５１０は、コンピュータ、テレビ、または他のデバイス等の出力デバイス（不図示）と、１以上の有線または無線の通信リンク１５１７を介して通信してよい。ＤＶＤドライブ１５１０は、不揮発にデータを記憶する大容量データ記憶装置１５１８と通信してよい。大容量データ記憶装置１５１８は、図６Ａに示すようなハードディスクドライブ（ＨＤＤ）を含みうる。ＨＤＤは、直径が約１．８"より小さい１以上のプラッタを含むミニＨＤＤであってもよい。ＤＶＤドライブ１５１０は、ＲＡＭ、ＲＯＭ、フラッシュメモリなどの低レイテンシー不揮発性メモリ、および／または他の適切な電子データ記憶装置などのメモリ１５１９に接続されてもよい。
【００４３】
図６Ｃを参照すると、本発明は高精細テレビ（ＨＤＴＶ）１５２０のＭＯＳデバイスとして具現化されうる。本発明は、概して図６Ｃでは１５２２で示される信号処理および／または制御回路のいずれかまたは両方、ＨＤＴＶ１５２０のＷＬＡＮインタフェースおよび／または大容量データ記憶装置を実装してよい。ＨＤＴＶ１５２０は、有線または無線形式でＨＤＴＶ入力信号を受信して、ＨＤＴＶ出力信号をディスプレイ１５２６用に生成する。幾らかの実装例においては、信号処理回路および／または制御回路１５２２および／またはＨＤＴＶ１５２０の他の回路（不図示）は、データ処理、符号化、および／または暗号化、計算、データフォーマッティング、および／または、必要でありうる任意の他の種類のＨＤＴＶ処理を行ってよい。
【００４４】
ＨＤＴＶ１５２０は、光学および／または磁気記憶デバイスなどの、不揮発式にデータを記憶する大容量データ記憶装置１５２７と通信してよい。少なくとも１つのＨＤＤが図６Ａに示す構成を有してよく、および／または、少なくとも１つのＤＶＤが図６Ｂに示す構成を有してよい。ＨＤＤは、直径が約１．８"より小さい１以上のプラッタを含むミニＨＤＤであってもよい。ＨＤＴＶ１５２０は、ＲＡＭ、ＲＯＭ、フラッシュメモリなどの低レイテンシー不揮発性メモリ、および／または他の適切な電子データ記憶装置などのメモリ１５２８に接続されてもよい。ＨＤＴＶ１５２０はさらに、ＷＬＡＮネットワークインタフェース１５２９を介してＷＬＡＮとの接続をサポートしてよい。
【００４５】
図６Ｄを参照すると、本発明は車両１５３０の制御システム、車両制御システムのＷＬＡＮインタフェースおよび／または大容量データ記憶装置のＭＯＳデバイスとして具現化されうる。幾らかの実装例においては、本発明は、温度センサ、圧力センサ、回転センサ、気流センサ、および／または任意の他の適切なセンサなどの１以上のセンサから入力を受信し、および／または、エンジン動作パラメータ、トランスミッション動作パラメータ、および／または他の制御信号など１以上の出力制御信号を生成する、パワートレイン制御システム１５３２を実装してよい。
【００４６】
本発明は、さらに、車両１５３０の他の制御システム１５４０に具現化されうる。制御システム１５４０は、同様に、入力センサ１５４２からの信号を受信し、および／または、制御信号を１以上の出力デバイス１５４４に出力しうる。幾らかの実装例においては、制御システム１５４０は、アンチロック・ブレーキ・システム（ＡＢＳ）、ナビゲーションシステム、テレマティックスシステム、車両テレマティックスシステム、車線逸脱システム、車間距離適応走行制御システム、ステレオ、ＤＶＤ、コンパクトディスクなどの車両娯楽システムなどの一部であってよい。さらに他の実装例も考えられる。
【００４７】
パワートレイン制御システム１５３２は、データを不揮発式に記憶する大容量データ記憶装置１５４６と通信してよい。大容量データ記憶装置１５４６は、例えばハードディスクドライブＨＤＤおよび／またはＤＶＤなどの光学および／または磁気記憶デバイスを含んでよい。少なくとも１つのＨＤＤが図６Ａに示す構成を有してよく、および／または、少なくとも１つのＤＶＤが図６Ｂに示す構成を有してよい。ＨＤＤは、直径が約１．８"より小さい１以上のプラッタを含むミニＨＤＤであってもよい。パワートレイン制御システム１５３２は、ＲＡＭ、ＲＯＭ、フラッシュメモリなどの低レイテンシー不揮発性メモリ、および／または他の適切な電子データ記憶装置などのメモリ１５４７に接続されてもよい。パワートレイン制御システム１５３２はさらに、ＷＬＡＮネットワークインタフェース１５４８を介してＷＬＡＮとの接続をサポートしてもよい。制御システム１５４０はさらに大容量データ記憶装置、メモリ、および／またはＷＬＡＮインタフェース（全て不図示）を含んでよい。
【００４８】
図６Ｅを参照すると、本発明は、セルラー式アンテナ１５５１を含みうるセルラー式電話機１５５０のＭＯＳデバイスとして具現化されうる。本発明は、概して図６Ｅでは１５５２で示される信号処理および／または制御回路のいずれかまたは両方、セルラー式電話機１５５０のＷＬＡＮインタフェースおよび／または大容量データ記憶装置を実装してよい。幾らかの実装例においては、セルラー式電話機１５５０は、マイクロフォン１５５６、スピーカおよび／または音声出力ジャックなどの音声出力１５５８、ディスプレイ１５６０および／またはキーパッド、ポインティングデバイス、音声駆動および／または他の入力デバイスなどの入力デバイス１５６２を含む。信号処理および／または制御回路１５５２および／またはセルラー式電話機１５５０の他の回路（不図示）は、データ処理、符号化、および／または暗号化、計算、データフォーマッティング、および／または他のセルラー式電話機能を行ってよい。
【００４９】
セルラー式電話機１５５０は、例えばＨＤＤおよび／またはＤＶＤなどの光学および／または磁気記憶デバイスなどの、データを不揮発式に記憶する大容量データ記憶装置１５６４と通信してよい。少なくとも１つのＨＤＤが図６Ａに示すような構成を持ってよく、および／または少なくとも１つのＤＶＤが図６Ｂに示す構成をもってよい。ＨＤＤは、直径が約１．８"より小さい１以上のプラッタを含むミニＨＤＤであってもよい。セルラー式電話機１５５０は、ＲＡＭ、ＲＯＭ、フラッシュメモリなどの低レイテンシー不揮発性メモリ、および／または他の適切な電子データ記憶装置などのメモリ１５６６に接続されてもよい。セルラー式電話機１５５０はさらに、ＷＬＡＮとの接続を、ＷＬＡＮネットワークインタフェース１５６８を介してサポートしてもよい。
【００５０】
図６Ｆを参照すると、本発明は、セットトップボックス１５８０のＭＯＳデバイスとして具現化されうる。本発明は、概して図６Ｆでは１５８４で示される信号処理および／または制御回路のいずれかまたは両方、セットトップボックス１５８０のＷＬＡＮインタフェースおよび／または大容量データ記憶装置を実装してよい。セットトップボックス１５８０は、ブロードバンドソースなどのソースから信号を受信し、テレビおよび／またはモニタおよび／または他のビデオおよび／または音声出力デバイスなどのディスプレイ１５８８に適した標準および／または高精細音声／ビデオ信号を出力する。信号処理回路および／または制御回路１５８４および／またはセットトップボックス１５８０の他の回路（不図示）は、データ処理、符号化および／または暗号化、計算、データフォーマッティング、および／または任意の他のセットトップボックス機能を行ってよい。
【００５１】
セットトップボックス１５８０は、データを不揮発式に記憶する大容量データ記憶装置１５９０と通信してよい。大容量データ記憶装置１５９０は例えばＨＤＤおよび／またはＤＶＤドライブである、光学および／または磁気記憶デバイスを含んでよい。少なくとも１つのＨＤＤが図６Ａに示すような構成を持ってよく、および／または少なくとも１つのＤＶＤが図６Ｂに示す構成をもってよい。ＨＤＤは、直径が約１．８"より小さい１以上のプラッタを含むミニＨＤＤであってもよい。セットトップボックス１５８０は、ＲＡＭ、ＲＯＭ、フラッシュメモリなどの低レイテンシー不揮発性メモリ、および／または他の適切な電子データ記憶装置などのメモリ１５９４に接続されてもよい。セットトップボックス１５８０はさらに、ＷＬＡＮとの接続を、ＷＬＡＮネットワークインタフェース１５９６を介して支援してもよい。
【００５２】
図６Ｇを参照すると、本発明は、メディアプレーヤ６００のＭＯＳデバイスとして具現化しうる。本発明は、概して図６Ｇでは６０４として示される信号処理および／または制御回路のいずれかまたは両方、メディアプレーヤ６００のＷＬＡＮインタフェースおよび大容量データ記憶デバイスを実装しうる。幾らかの実装例においては、メディアプレーヤ６００は、ディスプレイ６０７および／またはキーパッド、タッチパッド等のユーザ入力６０８を含む。幾らかの実装例においては、メディアプレーヤ６００は、通常、メニュー、ドロップダウンメニュー、アイコン、および／またはポイントアンドクリックインタフェースを、ディスプレイ６０７および／またはユーザ入力６０８を介して利用するグラフィカルユーザインタフェース（ＧＵＩ）を利用してよい。メディアプレーヤ６００は、さらに、スピーカおよび／または音声出力ジャックなどの音声出力６０９を含む。信号処理および／または制御回路６０４および／またはメディアプレーヤ６００の他の回路（不図示）は、データ処理、符号化、および／または暗号化、計算、データフォーマッティング、および／または任意の他のメディアプレーヤ機能を行ってよい。
【００５３】
メディアプレーヤ６００は、圧縮音声および／またはビデオコンテンツなどのデータを不揮発式に記憶する大量データ記憶装置６１０と通信してよい。幾らかの実施例においては、圧縮音声ファイルは、ＭＰ３形式あるいは他の適切な圧縮音声および／またはビデオ形式に準拠するファイルを含む。大容量データ記憶装置は、例えばハードディスクドライブＨＤＤおよび／またはＤＶＤドライブなどの、光学および／または磁気記憶デバイスを含んでよい。少なくとも１つのＨＤＤが図６Ａに示すような構成を持ってよく、および／または少なくとも１つのＤＶＤが図６Ｂに示す構成をもってよい。ＨＤＤは、直径が約１．８"より小さい１以上のプラッタを含むミニＨＤＤであってもよい。メディアプレーヤ６００はＲＡＭ、ＲＯＭ、フラッシュメモリなどの低レイテンシー不揮発性メモリ、および／または他の適切な電子データ記憶装置などのメモリ６１４に接続されてもよい。メディアプレーヤ６００はさらに、ＷＬＡＮとの接続を、ＷＬＡＮネットワークインタフェース６１６を介して支援してもよい。さらに他の実施例が、上述されたものに加えて考えられる。
【００５４】
図６Ｈを参照すると、本発明は、アンテナ６２１を含みうるボイスオーバインターネットプロトコル（ＶｏＩＰ）電話機６２０のＭＯＳデバイスとして具現化しうる。本発明は、概して図６Ｈでは６２２として示される信号処理および／または制御回路のいずれかまたは両方、ＶｏＩＰ電話機６２０の無線インタフェースおよび／または大容量データ記憶装置を実装してよい。幾らかの実装例においては、ＶｏＩＰ電話機６２０は、一部に、マイクロフォン６２４、スピーカおよび／または音声出力ジャックなどの音声出力６２５、ディスプレイモニタ６２６、キーパッド、ポインティングデバイス、音声駆動および／または他の入力デバイスなどの入力デバイス６２７、および、ワイヤレスフィデリティ（Ｗｉ−Ｆｉ）通信モジュール６２８を含む。信号処理および／または制御回路６２２および／またはＶｏＩＰ電話機６２０の他の回路（不図示）は、データ処理、符号化、および／または暗号化、計算、データフォーマッティングおよび／または他のＶｏＩＰ電話機能を行いうる。
【００５５】
ＶｏＩＰ電話機６２０は、例えばハードディスクドライブＨＤＤおよび／またはＤＶＤなどの光学および／または磁気記憶デバイスなどの、データを不揮発式に記憶する大容量データ記憶装置６２３と通信してよい。少なくとも１つのＨＤＤが図６Ａに示すような構成を持ってよく、および／または少なくとも１つのＤＶＤが図６Ｂに示す構成をもってよい。ＨＤＤは、直径が約１．８"より小さい１以上のプラッタを含むミニＨＤＤであってもよい。ＶｏＩＰ電話機６２０は、ＲＡＭ、ＲＯＭ、フラッシュメモリなどの低レイテンシー不揮発性メモリ、および／または他の適切な電子データ記憶装置などのメモリ６２９に接続されてもよい。ＶｏＩＰ電話機６２０は、Ｗｉ‐Ｆｉ通信モジュール６２８を介してＶｏＩＰネットワーク（不図示）との通信リンクを構築するよう構成される。
【００５６】
これまで本発明を特定の例示的実施形態に関して記載してきた。本発明は、上述の実施形態に限定されず、当業者であれば本発明の精神および範囲を逸脱せずに様々な変形例および変更例に想到するであろうことを理解されたい。
【図１】
2010515274.tif 000003
【図２】
2010515274.tif 000004
【図３】
2010515274.tif 000005
【図４】
2010515274.tif 000006
【図５Ａ】
2010515274.tif 000007
【図５Ｂ】
2010515274.tif 000008
【図６Ａ】
2010515274.tif 000009
【図６Ｂ】
2010515274.tif 000010
【図６Ｃ】
2010515274.tif 000011
【図６Ｄ】
2010515274.tif 000012
【図６Ｅ】
2010515274.tif 000013
【図６Ｆ】
2010515274.tif 000014
【図６Ｇ】
2010515274.tif 000015
【図６Ｈ】
2010515274.tif 000016
【国際調査報告】
2010515274.tif 000017